(57)【要約】      （修正有）【課題】情報記録体の記録媒体に記録している記録情報の不正な読み取り又は書き込みを容易に防止でき、且つ、比較的軽量であり且つ良好な折曲がり性を有し、さらにはデザイン性を備えることが容易であるといった優れたスキミング防止織物を提供する。【解決手段】電磁波若しくは電磁誘導を利用して読み取り又は書き込み可能な記録媒体を備えるＩＣカードや携帯電話等の情報記録体とともに使用する織物であって、織成して成る複数本の経糸Ａ１及び複数本の緯糸Ａ２を具備して成るとともに、これら複数本の経糸Ａ１及び複数本の緯糸Ａ２のうちの少なくとも複数本の糸を電磁シールド材料若しくは磁気シールド材料から成るシールド用糸で構成することにより、外部のリーダ又はライタを用いた前記記録媒体への読み取り又は書き込みを防止するスキミング防止機能を有するようにした。【選択図】図１
0003114340.tif 000002
【実用新案登録請求の範囲】
【請求項１】
電磁波若しくは電磁誘導を利用して読み取り又は書き込み可能な記録媒体を備えるＩＣカードや携帯電話等の情報記録体とともに使用する織物であって、
織成して成る複数本の経糸及び複数本の緯糸を具備して成るとともに、これら複数本の経糸及び複数本の緯糸のうちの少なくとも複数本の糸を電磁シールド材料若しくは磁気シールド材料から成るシールド用糸で構成することにより、外部のリーダ又はライタを用いた前記記録媒体への読み取り又は書き込みを防止するスキミング防止機能を有するようにしたことを特徴とするスキミング防止織物。
【請求項２】
経糸及び緯糸のうち、いずれか一方の糸全てに絹糸を用い、他方の糸全てに前記シールド用糸を用いていることを特徴とする請求項１記載のスキミング防止織物。
【請求項３】
前記シールド用糸が、金属繊維又は炭素繊維から成るものであることを特徴とする請求項１または２記載のスキミング防止織物。
【請求項４】
前記シールド用糸が、レーヨン等の合成繊維の表面に金属コーティング等の金属表面処理を施した金属複合繊維から成るもの、又は、金属繊維若しくは炭素繊維の表面に合成樹脂コーティング等の樹脂表面処理を施した金属複合繊維から成るものであることを特徴とする請求項１または２記載のスキミング防止織物。
【請求項５】
前記シールド用糸が、可撓性を有する和紙等の基体層と、この基体層の少なくとも片面側に配され且つ電磁シールド材料若しくは磁気シールド材料である複数の粉体から成る粉体層と、この粉体層を前記基体層に接着するための接着層と、前記粉体層の表面側を保護する保護層とから成るシールド用糸原料部材を、所定幅寸法に裁断加工して得たものであることを特徴とする請求項１または２記載のスキミング防止織物。
【請求項６】
前記粉体が、鉄粉であることを特徴とする請求項５記載のスキミング防止織物。
【請求項７】
請求項１乃至６いずれか記載のスキミング防止織物を、少なくとも一部に用いて形成して成る物入れ。
【請求項８】
請求項１乃至６いずれか記載のスキミング防止織物を、少なくとも一部に用いて形成して成る布地。
【請求項９】
請求項１乃至６いずれか記載のスキミング防止織物を、少なくとも一部に用いて形成して成り且つ他の布地に取り付けて使用する当て布。
【考案の詳細な説明】
【技術分野】
【０００１】
本考案は、電磁波若しくは電磁誘導を利用して読み取り又は書き込み可能な記録媒体を備えるＩＣカードや携帯電話等の情報記録体とともに使用するスキミング防止機能を備えた織物、及び、この織物を使用して成る物入れ、布地、当て布に関するものである。
【背景技術】
【０００２】
従来から、キャッシュカードやクレジットカードに記録されている磁気記録情報を、外部から不正に読み取られることを防止するように構成した財布等の携帯用物入れが知られている。具体的に、この種の携帯用物入れは、例えば、当該携帯用物入れの全面またはカード収容部分の表裏に、磁気遮断シートとして銅や亜鉛などの金属シート等を磁気遮断シートとして内包するように構成されている（特許文献１参照）。
【特許文献１】実用新案登録第３１１０３１２号公報
【考案の開示】
【考案が解決しようとする課題】
【０００３】
しかしながら、従来の構成の携帯用物入れは、金属シート等を磁気遮断シートとして用いているため、例えば磁気遮断効果を高めるためにシート厚を厚くすると、重量が重くなり且つ折曲がり難くなる。このため、例えば、携帯用物入れを背広などの内ポケットに入れて使用すると、その重量によって背広の型が崩れたり、また、その折曲がり難さによって違和感を感じるなどの問題点を有している。また、磁気遮断シートを内包せずに露出させて使用する場合には、当該磁気遮断シートに塗装等の表面処理をする必要がある等デザイン的な問題点を有している。
【０００４】
本考案は、このような課題に着目してなされたものであって、主たる目的は、非接触で記録情報を読み書きできるＩＣチップ等の記録媒体を備えるＩＣカードや携帯電話等の情報記録体とともに使用して、その記録媒体に記録している記録情報を、外部から不正に読み取り若しくは書き込みすることを防止することが可能であり、また、無用に重くならず且つ柔軟性を有しさらにはデザイン性を備えることが容易であるといった、優れたスキミング防止織物を提供することにある。
【課題を解決するための手段】
【０００５】
すなわち、本考案のスキミング防止織物は、電磁波若しくは電磁誘導を利用して読み取り又は書き込み可能な記録媒体を備えるＩＣカードや携帯電話等の情報記録体とともに使用する織物であって、織成して成る複数本の経糸及び複数本の緯糸を具備して成るとともに、これら複数本の経糸及び複数本の緯糸のうちの少なくとも複数本の糸を電磁シールド材料若しくは磁気シールド材料から成るシールド用糸で構成することにより、外部のリーダ又はライタを用いた前記記録媒体への読み取り又は書き込みを防止するスキミング防止機能を有するようにしたことを特徴とする。
【０００６】
ここで、「スキミング」とは、記録媒体に記録している記録情報を不正に読み取ることに加え、記録媒体に記録情報を不正に書き込むことを含むものとする。
【０００７】
このようなものであれば、複数本の経糸及び複数本の緯糸のうちの少なくとも複数本用いたシールド用糸が、外部のリーダ又はライタによる電磁波若しくは電磁誘導の影響が、情報記録体に備えた記録媒体に及ぶことを防止する。したがって、外部のリーダ又はライタによって、前記記録媒体への読み取り又は書き込みを防止することができる。また、経糸と緯糸とを織成しているため、無用に重くなることを防止し且つ柔軟性を確保できる。また、一般的な織物と同様、その表面に様々なデザインを表出させることも容易に行える。
【０００８】
すなわち、情報記録体の記録媒体に記録している記録情報の不正な読み取り又は書き込みを容易に防止でき、且つ、比較的軽量であり且つ良好な折曲がり性を有し、さらにはデザイン性を備えることが容易であるといった優れたスキミング防止織物を提供することができる。
【０００９】
なお、経糸及び緯糸のうち、いずれか一方の糸全てに絹糸を用い、他方の糸全てに前記シールド用糸を用いているのであれば、スキミング防止機能、軽量性、及びいわゆるドレープ性のいずれをも有効に兼ね備えるといった優れたスキミング防止織物を提供することができる。
【００１０】
また、前記シールド用糸が、金属繊維又は炭素繊維から成るものであれば、特に、スキミング防止機能に優れたスキミング防止織物を提供することができる。
【００１１】
また、前記シールド用糸が、レーヨン等の合成繊維の表面に金属コーティング等の金属表面処理を施した金属複合繊維から成るもの、又は、金属繊維若しくは炭素繊維の表面に合成樹脂コーティング等の樹脂表面処理を施した金属複合繊維から成るものであれば、特に、軽さとしなやかさとを兼ね備えたスキミング防止織物を提供することができる。
【００１２】
また、前記シールド用糸が、可撓性を有する和紙等の基体層と、この基体層の少なくとも片面側に配され且つ電磁シールド材料若しくは磁気シールド材料である複数の粉体から成る粉体層と、この粉体層を前記基体層に接着するための接着層と、前記粉体層の表面側を保護する保護層とから成るシールド用糸原料部材を、所定幅寸法に裁断加工して得たものであれば、織物としてのデザイン自由度を効果的に確保しながら優れたスキミング防止機能を発揮することができる。
【００１３】
特に、優れたスキミング防止機能を発揮するには、前記粉体が、鉄粉であることが望ましい。
【００１４】
また、上記のスキミング防止織物を、少なくとも一部に用いて形成して成る物入れや、少なくとも一部に用いて形成して成る布地や、少なくとも一部に用いて形成して成り且つ他の布地に取り付けて使用する当て布として有効に活用することができる。
【考案の効果】
【００１５】
以上説明したように、本考案のスキミング防止織物によれば、複数本の経糸及び複数本の緯糸のうちの少なくとも複数本用いたシールド用糸が、外部のリーダ又はライタによる電磁波若しくは電磁誘導の影響が、情報記録体に備えた記録媒体に及ぶことを防止する。したがって、外部のリーダ又はライタによって、前記記録媒体への読み取り又は書き込みを防止することができる。また、経糸と緯糸とを織成しているため、無用に重くなることを防止し且つ柔軟性を確保できる。また、一般的な織物と同様、その表面に様々なデザインを表出させることも容易に行える。
【００１６】
すなわち、情報記録体の記録媒体に記録している記録情報の不正な読み取り又は書き込みを容易に防止でき、且つ、比較的軽量であり且つ良好な折曲がり性を有し、さらにはデザイン性を備えることが容易であるといった優れたスキミング防止織物を提供することができる。
【考案を実施するための最良の形態】
【００１７】
以下、本考案の一実施形態を、図面を参照して説明する。
【００１８】
＜第１実施形態＞
本考案の第１実施形態に係るスキミング防止織物Ａは、図１に示すように、平織りして成る複数本の経糸Ａ１及び複数本の緯糸Ａ２を有するものであって、例えば、財布等の物入れ、背広等の布地及びワッペン等の当て布など、各種テキスタイル製品に単独で又は応用して用いることができるものである。本実施形態では、全ての経糸Ａ１に、「２１中（＝約２１デニール）の２本もろ」の絹糸を用い、全ての緯糸Ａ２に、「３分（＝約１０８デニール）」のアルミ糸（本考案の「電磁シールド材料としてのシールド用糸」に相当）を用いている。
【００１９】
次に、これら各部から構成されるスキミング防止織物Ａの使用方法について説明をする。
【００２０】
例えば、電磁波で読み取り又は書き込み可能な図示しないＩＣチップ（本考案の「記録媒体」に相当）を備える図示しないＩＣカード（本考案の「情報記録体」に相当）を、スキミング防止織物Ａで覆う。この状態で、図示しない外部のリーダライタ装置を用いてＩＣチップに記録している記録情報を読み取り又は書き込みしようとしても、緯糸Ａ２として使用しているアルミ糸が、外部のリーダライタによる電磁波の影響がＩＣチップに及ぶことを防止する。したがって、外部のリーダライタによってＩＣチップに読み取り又は書き込みすることを防止できる。
【００２１】
このように、本第１実施形態に係るスキミング防止織物Ａは、経糸Ａ１の全てに絹糸を用い、緯糸Ａ２の全てにシールド用糸としてアルミ糸を用いているため、このアルミ糸が、外部のリーダ又はライタによる電磁波の影響が、ＩＣカードに備えたＩＣチップに及ぶことを防止する。したがって、外部のリーダ又はライタによって、ＩＣチップへの読み取り又は書き込みを防止することができる。また、経糸Ａ１としての絹糸と緯糸Ａ２としてのアルミ糸とを織成しているため、無用に重くなることを防止し且つ柔軟性を確保できる。また、一般的な織物と同様、その表面に様々なデザインを表出させることも容易に行える。すなわち、電磁波によるＩＣカードのＩＣチップに記録している記録情報の不正な読み取り又は書き込みを容易に防止でき、且つ、軽量でありながらも良好なドレープ性を有し、さらにはデザイン性を備えることが容易であるといった優れたスキミング防止織物Ａを提供することができる。
【００２２】
＜第２実施形態＞
本考案の第２実施形態に係るスキミング防止織物Ａを用いた物入れ１は、一般に長財布と呼ばれ略中央で折り畳み可能な両開きタイプの財布であって、図２に示すように、平面視略矩形状の外装部材１１ａと、この外装部材１１ａの内面の左側半分の領域及び右側半分の領域を略覆う位置にそれぞれ配される左側内装部材１１ｂ及び右側内装部材１１ｃとを具備し、これら各部材１１ａ〜１１ｃの全てを、第１実施形態のスキミング防止織物Ａを用いて形成している。そして、各内装部材１１ｂ、１１ｃの周縁部のうち外装部材１１ａの四辺と対応しない周縁部に紙幣出し入れ口１ａを設定するとともに、前記四辺と対応する他の周縁部を外装部材１１ａに縫着させることにより、外装部材１１ａと各内装部材１１ｂ、１１ｃとの間に形成される空間を、主として紙幣を収容するための紙幣収容部１Ｘとしての機能を発揮するようにしている。また、本実施形態では、左側内装部材１１ｂは、その表面側にポケット状の主としてカードを収容するためのカード収容部１Ｙを２つ備えるようにしている。なお、本実施形態では、各部材１１ａ〜１１ｃにスキミング防止織物Ａを用いているが、例えば、外装部材１１ａにのみスキミング防止織物Ａを用い他の部材１１ｂ、１１ｃにスキミング機能を有しない織物、皮、布、合成樹脂材等を用いることを妨げない。
【００２３】
次に、これら各部から構成される物入れ１の使用方法について説明をする。
【００２４】
例えば、カード収容部１Ｙに、第１実施形態と同様のＩＣカードＣａを収容し、当該物入れ１を折り畳むと、ＩＣカードＣａは、各部材１１ａ〜１１ｃで挟み込まれた状態となる。この状態で、外部のリーダライタ装置を用いてＩＣチップ（図示せず）に記録している記録情報を読み取り又は書き込みしようとしても、各部材１１ａ〜１１ｃに使用しているアルミ糸が、外部のリーダライタによる電磁波の影響がＩＣチップに及ぶことを防止する。したがって、外部のリーダライタによってＩＣチップに読み取り又は書き込みすることを防止できる。
【００２５】
このように、本第２実施形態に係る物入れ１は、各部材１１ａ〜１１ｃの経糸Ａ１の全てに絹糸を用い、緯糸Ａ２の全てにシールド用糸としてアルミ糸を用いているため、このアルミ糸が、外部のリーダ又はライタによる電磁波の影響が、ＩＣカードＣａに備えたＩＣチップに及ぶことを防止する。したがって、外部のリーダ又はライタによって、ＩＣチップへの読み取り又は書き込みを防止することができる。また、経糸Ａ１としての絹糸と緯糸Ａ２としてのアルミ糸とを織成しているため、当該物入れ１が無用に重くなることを防止し且つ肌触り感を確保できる。また、一般的な織物と同様、その表面に様々なデザインを表出させることも容易に行える。すなわち、電磁波によるＩＣカードＣａのＩＣチップに記録している記録情報の不正な読み取り又は書き込みを容易に防止でき、且つ、軽量でありながらも良好な肌触り感を有し、さらにはデザイン性を備えることが容易であるといった高機能な物入れ１を提供することができる。
【００２６】
なお、本第２実施形態において、物入れ１を、一般に長財布と呼ばれ略中央で折り畳み可能な両開きタイプの財布としているが、二つ折りタイプの財布や他のタイプの財布とすることもできる。
【００２７】
また、物入れ１は、財布に限らず、例えば、バッグ、カードホルダ、収納ケースなど、物を入れられるもので、且つ、少なくともＩＣチップを直接又は間接的に覆う位置にスキミング防止織物Ａを用いることができるものであれば任意で良く、さらに、物入れ１自体が携帯可能であるか否かも問わない。
【００２８】
＜第３実施形態＞
本考案の第３実施形態に係る背広の上着２は、図３に示すように、左右の前身頃部２１、後身頃部２２、袖部２３などを備えるものであって、これら各部の服地を、第１実施形態のスキミング防止織物Ａを用いて形成している。そして、本実施形態では、胸ポケット２１ｘ等の複数のポケットを有するようにしている。
【００２９】
次に、これら各部から構成される背広の上着２の使用方法について説明をする。
【００３０】
例えば、第１実施形態と同様のＩＣカード（図示せず）を胸ポケット２１ｘに入れる。このとき、ＩＣカードは、財布などに収容した状態であるか否かを問わない。そして、この状態で、図示しない外部のリーダライタ装置を用いてＩＣチップに記録している記録情報を読み取り又は書き込みしようとしても、服地に使用しているアルミ糸が、外部のリーダライタによる電磁波の影響がＩＣチップに及ぶことを防止する。したがって、外部のリーダライタによってＩＣチップに読み取り又は書き込みすることを防止できる。
【００３１】
このように、本第３実施形態に係る上着２は、服地である経糸Ａ１の全てに絹糸を用い、緯糸Ａ２の全てにシールド用糸としてアルミ糸を用いているため、このアルミ糸が、外部のリーダ又はライタによる電磁波の影響が、ＩＣカードに備えたＩＣチップに及ぶことを防止する。したがって、外部のリーダ又はライタによって、ＩＣチップへの読み取り又は書き込みを防止することができる。また、経糸Ａ１としての絹糸と緯糸Ａ２としてのアルミ糸とを織成しているため、当該上着２が無用に重くなることを防止し且つ柔軟性を確保できる。また、一般的な織物と同様、その表面に様々なデザインを表出させることも容易に行える。すなわち、電磁波によるＩＣカードのＩＣチップに記録している記録情報の不正な読み取り又は書き込みを容易に防止でき、且つ、軽量でありながらも良好なドレープ感を有し、さらにはデザイン性を備えることが容易であるといった高機能な上着２を提供することができる。
【００３２】
なお、本実施形態では、背広の上着２のうち前身頃部２１などの表面に現われる部分にスキミング防止織物Ａを用いているが、例えば、裏地や芯地のように表面に現われない部分に用いることを妨げない。また、ポケット部分にのみ用いることもできる。
【００３３】
また、スキミング防止織物Ａを背広のズボンの服地として用いても良い。さらには、このスキミング防止織物Ａを、洋服に限らず和服等を含めた衣類全ての布地として用いることもできる。
【００３４】
さらに、図４に示すように、第１実施形態のスキミング防止織物Ａを用いて形成したワッペン本体３１（本考案の「当て布」に相当）を、その縁部３２を利用して胸ポケット２１ｘの上から取り付けるといった実施態様も考えられる。このようにすれば、胸ポケット２１ｘに入れたＩＣカードに対するスキミング防止効果をさらに高めることができる。また、このようなワッペン本体３１を備えるワッペン３を、スキミング防止織物Ａを用いない一般的な背広の上着２などに対して使用した場合でも、スキミング防止効果を得られる。また、ワッペン３の形状は任意に設定可能である。
【００３５】
なお、本考案は上記したこれらの実施形態に限られるものではない。
【００３６】
例えば、織物の組織には、平織りを採用しているがこれに限らず、例えば、綾織り、朱子織り、または、この３種の組織を変化させたり組み合わせたりしたものを採用するなど、複数本の経糸及び複数本の緯糸を織成して成るものであればよい。また、経糸と緯糸とが成す角度は直角でなくても良く、斜め織を採用することができる。また、３軸織を採用してもよい。さらには、経糸及び緯糸のうちいずれか一方若しくは両方を層状にすることを妨げない。
【００３７】
また、経糸Ａ１の全てに絹糸を用い、緯糸Ａ２の全てにアルミ糸を用いているが、逆の構成であってもよい。また、経糸Ａ１又は緯糸Ａ２の一部をアルミ糸を採用することができる。また、糸の太さも実施態様に応じて適宜変更可能である。
【００３８】
また、絹糸に代えて、他の天然繊維やレーヨン等の合成繊維を用いても良い。
【００３９】
また、電磁シールド材料としてのシールド用糸に、アルミ糸を用いているが、鉄とニッケルとから成る電磁シールド材料及び磁気シールド材料としての性質を有する金属繊維を用いることもできる。このように構成することにより、電磁波及び電磁誘導によるＩＣカードのＩＣチップに記録している記録情報の不正な読み取り又は書き込みを容易に防止でき、且つ、軽量でありながらも良好なドレープ性を有し、さらにはデザイン性を備えることが容易であるといった優れたスキミング防止織物Ａなどを提供することができる。また、シールド用糸に、炭素繊維を用いることもできる。
【００４０】
さらには、シールド用糸が、レーヨン等の合成繊維の表面に金属コーティング等の金属表面処理を施した金属複合繊維から成るものとしてもよい。
【００４１】
またさらに、シールド用糸に、図５に示すように、可撓性を有する和紙から成る基体層Ｐ１と、この基体層Ｐ１の少なくとも片面側に配され且つ電磁シールド材料若しくは磁気シールド材料である複数の粉体Ｐ３１から成る粉体層Ｐ３と、この粉体層Ｐ３を前記基体層Ｐ１に接着するための接着層Ｐ２と、前記粉体層Ｐ３の表面側を保護する保護層Ｐ４とから成るシールド用糸原料部材Ｐを、所定幅寸法に裁断加工して得たものを用いることができる。
【００４２】
より具体的に、基体層Ｐ１には厚さ数１０μｍ〜数１００μｍ程度の和紙を使用し、粉体層Ｐ３の粉体Ｐ３１には平均粒度数１０μｍ〜数１００μｍ程度の鉄粉を使用し、接着層Ｐ２には適量の漆を使用し、保護層Ｐ４には厚さ数１０μｍ〜数１００μｍ程度のポリエステルフィルムを使用することができる。なお、基体層Ｐ１の厚さは任意に設定できるし、粉体層Ｐ３の粉体Ｐ３１の粒度も任意に設定できる。また、接着層Ｐ２には、漆以外の接着剤を用いることができる。また、保護層Ｐ４の厚さは任意に設定できる。
【００４３】
また、上記した実施形態では情報記録体をＩＣカードとしているが、この情報記録体に、ＩＣチップ等の記録媒体を搭載し電磁波を利用してその記録媒体に記録している情報を読み取り又は書き込みできるタイプの携帯電話を用いる等、情報記録体の種類は上記した実施形態に限られるものではない。また、情報記録体は、携帯可能であるか否かを問わない。
【００４４】
その他、各部の具体的構成についても上記実施形態に限られるものではなく、本考案の趣旨を逸脱しない範囲で種々変形が可能である。
【図面の簡単な説明】
【００４５】
【図１】本考案の一実施形態に係るスキミング防止織物を示す拡大図。
【図２】同実施形態におけるスキミング防止織物を用いた財布を示す斜視図。
【図３】同実施形態におけるスキミング防止織物を服地として用いた上着を示す斜視図。
【図４】同実施形態におけるスキミング防止織物を用いたワッペンを示す斜視図。
【図５】同実施形態におけるシールド用糸原料部材の構造断面を模式的に示す図。
【符号の説明】
【００４６】
Ａ・・・・・スキミング防止織物
Ａ１・・・・経糸
Ａ２・・・・緯糸
Ｐ・・・・・シールド用糸原料部材
Ｐ１・・・・基体層
Ｐ２・・・・接着層
Ｐ３・・・・粉体層
Ｐ４・・・・保護層
Ｐ３１・・・粉体
１・・・・・物入れ
３・・・・・当て布（ワッペン）
【図１】
0003114340.tif 000003
【図２】
0003114340.tif 000004
【図３】
0003114340.tif 000005
【図４】
0003114340.tif 000006
【図５】
0003114340.tif 000007